(57)【要約】【課題】アクティブアンテナに与える影響を少なくしつつ、アクティブアンテナの接続状態を確実に検出することが可能な受信装置を提供する。【解決手段】アクティブアンテナ１０が接続される受信装置２０であって、参照側トランジスタ（トランジスタ６０）および出力側トランジスタ（トランジスタ６１）を有するカレントミラー回路と、前記アクティブアンテナに対して前記参照側トランジスタの出力端子を介して電源電力を給電する給電回路（アンテナ給電回路２３）と、前記給電回路から前記アクティブアンテナに給電される電流を前記出力側トランジスタの出力端子に流れる電流に基づいて検出する検出回路（抵抗６２）と、前記検出回路によって検出された電流に基づいて、前記アクティブアンテナの自機への接続状態を判定する判定回路（コンパレータ５７、抵抗５４〜５６）と、を有する。【選択図】図２
2009118077.tif 000002
【特許請求の範囲】
【請求項１】
アクティブアンテナが接続される受信装置であって、
参照側トランジスタおよび出力側トランジスタを有するカレントミラー回路と、
前記アクティブアンテナに対して前記参照側トランジスタの出力端子を介して電源電力を給電する給電回路と、
前記給電回路から前記アクティブアンテナに給電される電流を前記出力側トランジスタの出力端子に流れる電流に基づいて検出する検出回路と、
前記検出回路によって検出された電流に基づいて、前記アクティブアンテナの自機への接続状態を判定する判定回路と、
を有することを特徴とする受信装置。
【請求項２】
請求項１に記載の受信装置において、
前記判定回路は、前記検出回路によって検出された電流が所定の範囲内に属している場合には前記アクティブアンテナが正常に接続されていると判定し、前記所定の範囲より大きい場合には前記アクティブアンテナが短絡状態であると判定し、前記所定の範囲より小さい場合には前記アクティブアンテナが開放状態であると判定することを特徴とする受信装置。
【請求項３】
請求項２に記載の受信装置において、
前記判定回路は、コンパレータを有し、
前記コンパレータは、前記検出回路によって検出された電流に対応する電圧と、前記所定の範囲に対応する基準電圧とを比較し、前記アクティブアンテナの接続状態に対応する信号を出力することを特徴とする受信装置。
【請求項４】
請求項２に記載の受信装置において、
前記判定回路は、Ａ／Ｄ変換回路を有し、
前記Ａ／Ｄ変換回路は、前記検出回路によって検出された電流に対応する電圧と、前記所定の範囲に対応する基準電圧とを比較し、前記アクティブアンテナの接続状態に対応する信号を出力することを特徴とする受信装置。
【請求項５】
アクティブアンテナが接続される受信装置の制御方法であって、
前記アクティブアンテナに対して参照側トランジスタの出力端子を介して電源電力を給電し、
前記給電回路から前記アクティブアンテナに給電される電流を、前記参照側トランジスタとともにカレントミラー回路を構成する出力側トランジスタの出力端子に流れる電流に基づいて検出し、
検出された電流に基づいて、前記アクティブアンテナの自機への接続状態を判定する、
ことを特徴とする受信装置の制御方法。
【発明の詳細な説明】
【技術分野】
【０００１】
本発明は、受信装置および受信装置の制御方法に関する。
【背景技術】
【０００２】
特許文献１には、アンテナエレメントと増幅回路とが一体化されたアクティブアンテナに関する技術が開示されている。このような技術によれば、受信感度を高めるとともに、ノイズレベルを下げることができる。
【０００３】
図４は、アクティブアンテナが接続される受信装置の構成を示す。この図に示すように、アクティブアンテナ１０は、アンテナエレメント１１とローノイズアンプ１２を有する。また、受信装置２０は、アンテナ状態検出回路２１、信号処理回路２２、アンテナ給電回路２３、および、電源回路２４を有している。なお、アクティブアンテナ１０と受信装置２０は同軸ケーブル３０によって接続される。
【０００４】
ここで、アンテナエレメント１１は、図示せぬ送信装置から送信された電波を捕捉し、ローノイズアンプ１２に供給する。ローノイズアンプ１２は、受信装置２０から供給される直流電力を電源として動作し、アンテナエレメント１１によって捕捉された受信信号を所定のゲインで増幅し、ＲＦ信号として同軸ケーブル３０を介して受信装置２０に供給する。
【０００５】
アンテナ状態検出回路２１は、アクティブアンテナ１０に対してアンテナ給電回路２３からの直流電力を供給するとともに、アクティブアンテナ１０の接続状態を検出し、検出結果を検出信号ＤＥＴとして信号処理回路２２に供給する。また、アンテナ状態検出回路２１は、アクティブアンテナ１０から供給されるＲＦ信号を信号処理回路２２に供給する。
【０００６】
信号処理回路２２は、アンテナ状態検出回路２１から供給される検出信号ＤＥＴに基づいて、アクティブアンテナ１０の接続状態を判断するとともに、アンテナ状態検出回路２１から供給されるＲＦ信号に対する信号処理を行う。
【０００７】
アンテナ給電回路２３は、電源回路２４から供給される直流電力に基づいて、アクティブアンテナ１０に給電する直流電力を生成し、アンテナ状態検出回路２１に供給する。電源回路２４は、信号処理回路２２およびアンテナ給電回路２３に対して直流電力を供給する。
【０００８】
図５は、アンテナ状態検出回路２１の構成を示す図である。この図に示すように、アンテナ状態検出回路２１は、コンデンサ５０，５１、コイル５２、抵抗５３〜５６、および、コンパレータ５７によって構成される。コンデンサ５０は、直流カット用のコンデンサであり、信号処理回路２２に対して直流電圧が印加されることを防止する。コンデンサ５１は、デカップリングコンデンサである。コイル５２は、高周波信号がコンパレータ５７およびアンテナ給電回路２３に流入しないようにする。抵抗５３は、アンテナ給電回路２３からアクティブアンテナ１０に供給される電流を検出するための抵抗である。抵抗５４〜５６は、コンパレータに供給する基準電圧ＶＨ，ＶＬを生成するための抵抗である。コンパレータ５７は、抵抗５３に生じる電圧ＶＤと、抵抗５４〜５６に生じる基準電圧ＶＨ，ＶＬを比較し、比較結果に応じて２ビットの信号である検出信号ＤＥＴを出力する。
【０００９】
図６（Ａ）は、抵抗５３に生じる電圧ＶＤと、抵抗５４〜５６に生じる基準電圧ＶＨ，ＶＬと、コンパレータ５７の出力信号である検出信号ＤＥＴとの関係を示す図である。この図に示すように、ＶＤがＶＬ＜ＶＤ＜ＶＨの範囲にある場合には、適正アンテナ電流範囲と判定され、検出信号ＤＥＴのＢ０，Ｂ１がそれぞれ「１」、「０」とされる。また、ＶＤがＶＤ≦ＶＬの範囲にある場合には、アンテナ電流過大であってアンテナ・ショート状態と判断され、検出信号ＤＥＴのＢ０，Ｂ１がそれぞれ「０」、「０」とされる。また、ＶＤがＶＨ≦ＶＤの範囲内にある場合には、アンテナ電流過小であって、アンテナ・オープン状態と判断され、検出信号ＤＥＴのＢ０，Ｂ１がそれぞれ「１」、「１」とされる。信号処理回路２２では、アンテナ状態検出回路２１から供給される検出信号ＤＥＴのＢ０，Ｂ１のビットを参照することにより、アクティブアンテナ１０の接続状態を知ることができる。
【特許文献１】特開平８−８８５０８号公報
【発明の開示】
【発明が解決しようとする課題】
【００１０】
ところで、図４，５に示す受信装置２０では、ノイズ等の影響を排除してアンテナ接続状態を安定して検出するためには、アンテナ接続正常と判定する範囲（ＶＬ〜ＶＨの範囲）を広く設定することが望ましい。そのためには、抵抗５３の値を大きく設定する必要があるが、抵抗５３の値を大きくすると、抵抗５３において電圧降下が生じ、アクティブアンテナ１０のローノイズアンプ１２に供給される電源電圧がその分だけ低下してしまう。具体的には、抵抗５３の抵抗値が１０Ωであり、正常なアンテナ電流Ｉの範囲が２０ｍＡ〜５０ｍＡであり、アンテナ給電回路２３からの供給電圧を５Ｖとする。この場合、基準電圧ＶＨ，ＶＬはそれぞれ４．８Ｖおよび４．５Ｖとなり、アンテナ接続正常と判断する範囲は０．３Ｖ（＝ＶＨ−ＶＬ）となる。
【００１１】
そこで、アンテナ接続正常とする電圧範囲を２倍の０．６Ｖとするためには、抵抗５３の抵抗値を２倍の２０Ωとする必要がある。しかしながら、抵抗値を増加した場合、抵抗５３における電圧降下は、正常なアンテナ電流Ｉの範囲が２０ｍＡ〜５０ｍＡとすると、０．４〜１．０Ｖとなる。この場合、ローノイズアンプ１２に供給される電源電圧は４．０Ｖ〜４．６Ｖとなるため、ローノイズアンプ１２の電源電圧が４Ｖである場合には、十分な電源電圧のマージンを得られなくなるという問題点がある。
【００１２】
本発明の課題は、アクティブアンテナに与える影響を少なくしつつ、アクティブアンテナの接続状態を確実に検出することが可能な受信装置および制御方法を提供することにある。
【課題を解決するための手段】
【００１３】
上記課題を解決するため、本発明の受信装置は、アクティブアンテナが接続される受信装置であって、参照側トランジスタおよび出力側トランジスタを有するカレントミラー回路と、前記アクティブアンテナに対して前記参照側トランジスタの出力端子を介して電源電力を給電する給電回路と、前記給電回路から前記アクティブアンテナに給電される電流を前記出力側トランジスタの出力端子に流れる電流に基づいて検出する検出回路と、前記検出回路によって検出された電流に基づいて、前記アクティブアンテナの自機への接続状態を判定する判定回路と、を有することを特徴とする。
上記構成によれば、アクティブアンテナに対して参照側トランジスタの出力端子を介して給電回路から電源電力が給電され、参照側トランジスタとカレントミラー回路を構成する出力側トランジスタの出力端子に流れる電流に基づいてアクティブアンテナに給電される電流を検出回路が検出し、検出回路によって検出された電流に基づいてアクティブアンテナの自機への接続状態が判定手段によって判定される。このため、電流検出の際の電圧降下を少なくすることができるため、アクティブアンテナに与える影響を少なくしつつ、アクティブアンテナの接続状態を確実に検出することが可能となる。
【００１４】
また、上記構成の受信装置において、前記判定回路は、前記検出回路によって検出された電流が所定の範囲内に属している場合には前記アクティブアンテナが正常に接続されていると判定し、前記所定の範囲より大きい場合には前記アクティブアンテナが短絡状態であると判定し、前記所定の範囲より小さい場合には前記アクティブアンテナが開放状態であると判定することを特徴とする。
上記構成によれば、検出回路によって検出された電流が所定の範囲に属するか否かでアクティブアンテナの接続状態が判定回路によって判定される。このため、アクティブアンテナに流れる電流にばらつきがある場合であっても、接続状態を確実に判定することができる。
【００１５】
また、上記構成の受信装置において、前記判定回路は、コンパレータを有し、前記コンパレータは、前記検出回路によって検出された電流に対応する電圧と、前記所定の範囲に対応する基準電圧とを比較し、前記アクティブアンテナの接続状態に対応する信号を出力することを特徴とする。
上記構成によれば、所定の範囲に対応する基準電圧と、検出回路によって検出された電流に対応する電圧とをコンパレータが比較し、接続状態に対応する信号を出力する。このため、コンパレータから出力された信号を参照することにより、アクティブアンテナの接続状態を簡易に判定することができる。
【００１６】
また、上記構成の受信装置において、前記判定回路は、Ａ／Ｄ変換回路を有し、前記Ａ／Ｄ変換回路は、前記検出回路によって検出された電流に対応する電圧と、前記所定の範囲に対応する基準電圧とを比較し、前記アクティブアンテナの接続状態に対応する信号を出力することを特徴とする。
上記構成によれば、所定の範囲に対応する基準電圧と、検出回路によって検出された電流に対応する電圧とをＡ／Ｄ変換回路が比較し、接続状態に対応する信号を出力する。このため、Ａ／Ｄ変換回路から出力された信号を参照することにより、アクティブアンテナの接続状態を簡易に判定することができる。
【００１７】
また、本発明の受信装置の制御方法は、アクティブアンテナが接続される受信装置の制御方法であって、前記アクティブアンテナに対して参照側トランジスタの出力端子を介して電源電力を給電し、前記給電回路から前記アクティブアンテナに給電される電流を、前記参照側トランジスタとともにカレントミラー回路を構成する出力側トランジスタの出力端子に流れる電流に基づいて検出し、検出された電流に基づいて、前記アクティブアンテナの自機への接続状態を判定することを特徴とする。
上記構成によれば、アクティブアンテナに対して参照側トランジスタの出力端子を介して電源電力が給電され、参照側トランジスタとカレントミラー回路を構成する出力側トランジスタの出力端子に流れる電流に基づいてアクティブアンテナに給電される電流が検出され、検出された電流に基づいてアクティブアンテナの自機への接続状態が判定される。このため、電流検出の際の電圧降下を少なくすることができるため、アクティブアンテナに与える影響を少なくしつつ、アクティブアンテナの接続状態を確実に検出することが可能となる。
【発明の効果】
【００１８】
本発明によれば、アンテナ給電電圧の低下を抑えてアンテナ接続状態を示すアンテナ電流検出精度を向上（ノイズによる誤動作防止等）させる。
【発明を実施するための最良の形態】
【００１９】
（Ａ）実施の形態の構成
以下、図面を参照して本発明の実施の形態を説明する。
図１は本発明の実施の形態の受信装置を有する受信システムの構成例を示す図である。この図に示すように受信システムは、アクティブアンテナ１０および受信装置２０を主な構成要素とする。ここで、アクティブアンテナ１０は、アンテナエレメント１１とローノイズアンプ１２を有する。また、受信装置２０は、アンテナ状態検出回路４１、信号処理回路２２、アンテナ給電回路２３（請求項中「給電回路」に対応）、および、電源回路２４を有している。なお、アクティブアンテナ１０と受信装置２０は同軸ケーブル３０によって接続される。
【００２０】
ここで、アンテナエレメント１１は、例えば、図示せぬＧＰＳ（Global Positioning System）衛星から送信される電波を捕捉し、ローノイズアンプ１２に供給する。ローノイズアンプ１２は、受信装置２０から供給される直流電力を電源として動作し、アンテナエレメント１１によって捕捉された受信信号を所定のゲインで増幅し、ＲＦ（Radio Frequency）信号として同軸ケーブル３０を介して受信装置２０に供給する。
【００２１】
アンテナ状態検出回路４１は、アクティブアンテナ１０に対してアンテナ給電回路２３からの直流電力を同軸ケーブル３０を介して供給するとともに、アクティブアンテナ１０の接続状態を検出し、検出結果を検出信号ＤＥＴとして信号処理回路２２に供給する。また、アンテナ状態検出回路４１は、アクティブアンテナ１０から供給されるＲＦ信号を抽出して信号処理回路２２に供給する。
【００２２】
信号処理回路２２は、アンテナ状態検出回路４１から供給される検出信号ＤＥＴに基づいて、アクティブアンテナ１０の接続状態を判断するとともに、アンテナ状態検出回路４１から供給されるＲＦ信号に対する信号処理を行う。なお、アクティブアンテナ１０が接続されていない場合や、短絡状態である場合には、信号処理回路２２は、図示せぬヒューマンインタフェース（ＨＩＦ）に対して所定の情報を表示し、アクティブアンテナ１０が正常でないことをユーザに通知することができる。
【００２３】
アンテナ給電回路２３は、電源回路２４から供給される直流電力に基づいて、アクティブアンテナ１０に給電する直流電力を生成し、アンテナ状態検出回路４１に供給する。電源回路２４は、信号処理回路２２およびアンテナ給電回路２３に対して直流電力を供給する。
【００２４】
図２は、アンテナ状態検出回路４１の構成例を示す図である。この図に示すように、アンテナ状態検出回路４１は、コンデンサ５０，５１、コイル５２、抵抗５４〜５６（請求項中「判定回路」に対応）、抵抗６２（請求項中「検出回路」に対応）、コンパレータ５７（請求項中「判定回路」に対応）、トランジスタ６０（請求項中「参照側トランジスタ」に対応）およびトランジスタ６１（請求項中「出力側トランジスタ」に対応）を有している。
【００２５】
ここで、コンデンサ５０は、一方の端子が信号処理回路２２に接続され、他方の端子がコイル５２の一方の端子と接続されている。また、コンデンサ５０の他方の端子は、同軸ケーブル３０を介してローノイズアンプ１２に接続されている。なお、コンデンサ５０は、直流カット用のコンデンサであり、信号処理回路２２に対してコイル５２から出力される直流電圧が印加されることを防止する。
【００２６】
コンデンサ５１は、一方の端子がコイル５２の他方の端子とトランジスタ６０のコレクタ端子に接続され、他方の端子が接地されている。なお、コンデンサ５１は、デカップリングコンデンサであり、電源雑音や、それに伴う放射電磁雑音を抑える機能を有する。コイル５２は、一方の端子がコンデンサ５０の他方の端子とローノイズアンプ１２に接続され、他方の端子がコンデンサ５１の一方の端子とトランジスタ６０のコレクタに接続されている。なお、コイル５２は、高周波信号であるＲＦ信号がコンパレータ５７およびアンテナ給電回路２３に流入しないように遮断または減衰する。
【００２７】
トランジスタ６０，６１は、ＰＮＰ型バイポーラトランジスタであり、カレントミラー回路を構成している。すなわち、トランジスタ６０のエミッタ端子（請求項中「出力端子」に対応）は、アンテナ給電回路２３に接続され、ベース端子はトランジスタ６１のベース端子とトランジスタ６０のコレクタ端子に接続されている。トランジスタ６０のコレクタ端子（請求項中「出力端子」に対応）は、コンデンサ５１の一方の端子と、コイル５２の他方の端子に接続されている。
【００２８】
トランジスタ６１のエミッタ端子（請求項中「出力端子」に対応）は、アンテナ給電回路２３とトランジスタ６０のエミッタ端子に接続され、ベース端子はトランジスタ６０のベース端子とトランジスタ６０のコレクタ端子に接続されている。トランジスタ６１のコレクタ端子（請求項中「出力端子」に対応）は、コンパレータ５７の入力端子と、抵抗６２の一方の端子に接続されている。
【００２９】
抵抗６２は、一方の端子がトランジスタ６１のコレクタ端子とコンパレータ５７の入力端子に接続され、他方の端子が接地されている。なお、抵抗６２には、カレントミラー回路を構成するトランジスタ６１の出力端子であるエミッタ・コレクタ間に流れる電流Ｉｄが流入し、その抵抗値に応じた電圧が現れる。コンパレータ５７は、抵抗６２に生じた電圧と、抵抗５４〜５６に生じる基準電圧を比較し、検出信号ＤＥＴを出力する。
【００３０】
抵抗５４〜５６は、直列に接続され、抵抗５４の一方の端子に対してアンテナ給電回路２３の直流電圧が印加され、抵抗５６の一方の端子が接地されている。抵抗５４の他方の端子と抵抗５５の一方の端子の接続部には基準電圧ＶＨｄが現れ、この基準電圧ＶＨｄがコンパレータ５７の一方の基準電圧入力端子に入力される。また、抵抗５５の他方の端子と抵抗５６の他方の端子の接続部には基準電圧ＶＬｄ（＜ＶＨｄ）が現れ、この基準電圧ＶＬｄがコンパレータ５７の他方の基準電圧入力端子に入力される。
【００３１】
コンパレータ５７は、抵抗６２に現れた電圧ＶＤｄを入力端子から入力し、この電圧ＶＤｄと基準電圧ＶＨｄおよびＶＬｄを比較し、これらの比較結果に基づいて２ビットの検出信号ＤＥＴを生成して出力する。
【００３２】
図６（Ｂ）は、抵抗６２に生じる電圧ＶＤｄと、抵抗５４〜５６に生じる基準電圧ＶＨｄ，ＶＬｄと、コンパレータ５７の出力信号である検出信号ＤＥＴとの関係を示す図である。この図に示すように、ＶＤｄがＶＬｄ＜ＶＤｄ＜ＶＨｄの範囲にある場合には、適正アンテナ電流範囲と判断され、検出信号ＤＥＴのＢ０，Ｂ１がそれぞれ「１」、「０」とされる。また、ＶＤｄがＶＤｄ≦ＶＬｄの範囲にある場合には、アンテナ電流過小であって、アンテナ・オープン状態と判断され、検出信号ＤＥＴのＢ０，Ｂ１がそれぞれ「０」、「０」とされる。また、ＶＤｄがＶＨｄ≦ＶＤｄの範囲にある場合には、アンテナ電流過大であって、アンテナ・ショート状態と判定され、検出信号ＤＥＴのＢ０，Ｂ１がそれぞれ「１」、「１」とされる。信号処理回路２２では、アンテナ状態検出回路４１から供給される検出信号ＤＥＴのＢ０，Ｂ１のビットを参照することにより、アクティブアンテナ１０の接続状態を知ることができる。
【００３３】
（Ｂ）実施の形態の動作
つぎに、本発明の実施の形態の動作について説明する。受信装置２０の電源が投入されると、電源回路２４が動作を開始し、信号処理回路２２およびアンテナ給電回路２３に対して直流電力を供給する。この結果、信号処理回路２２およびアンテナ給電回路２３は動作を開始する。なお、電源回路２４の電力は、図示せぬヒューマンインタフェースとしての表示装置にも供給されるので、表示装置が動作可能な状態となる。
【００３４】
アンテナ給電回路２３は、電源回路２４から供給された直流電圧を、昇圧または降圧することにより、アンテナ状態検出回路４１に供給する直流電圧（例えば、５Ｖ）を得る。アンテナ給電回路２３によって生成された直流電圧は、図２に示すアンテナ状態検出回路２１の各部へ供給される。その結果、抵抗５４〜５６は、アンテナ給電回路２３から供給された直流電圧をそれぞれの抵抗値に応じて分圧し、基準電圧ＶＨｄ，ＶＬｄを生成してコンパレータ５７の一方の基準電圧入力端子および他方の基準電力入力端子にそれぞれ入力する。
【００３５】
また、アンテナ給電回路２３から供給された直流電圧は、トランジスタ６０，６１のエミッタ端子に印加される。トランジスタ６０のコレクタ端子は、コイル５２および同軸ケーブル３０を介してローノイズアンプ１２に接続されているので、エミッタ端子に直流電圧が印加されるとローノイズアンプ１２に対してアンテナ電流Ｉが流入し、ローノイズアンプ１２は動作状態となる。
【００３６】
このとき、トランジスタ６０とトランジスタ６１は、カレントミラー回路を構成しているので、トランジスタ６０のエミッタ・コレクタ間に流れるアンテナ電流Ｉとほぼ等しい値を有する電流Ｉｄがトランジスタ６１のエミッタ・コレクタ間にも流れる。この電流Ｉｄは、抵抗６２に流入し、抵抗６２の一方の端子には電流Ｉｄと抵抗６２の抵抗値に応じた電圧ＶＤｄが生じる。このようにして生じた電圧ＶＤｄはコンパレータ５７の入力端子に入力される。
【００３７】
コンパレータ５７は、入力端子に入力された電圧ＶＤｄと、一方の基準電圧入力端子に入力された基準電圧ＶＨｄと、他方の基準電圧入力端子に入力された基準電圧ＶＬｄとを比較し、図６（Ｂ）に示すように、ＶＤｄがＶＬｄ＜ＶＤｄ＜ＶＨｄの範囲にある場合には、検出信号ＤＥＴのＢ０，Ｂ１をそれぞれ「１」、「０」に設定する。また、ＶＤｄがＶＤｄ≦ＶＬｄの範囲にある場合には、検出信号ＤＥＴのＢ０，Ｂ１をそれぞれ「０」、「０」に設定する。また、ＶＤｄがＶＨｄ≦ＶＤｄの範囲にある場合には、検出信号ＤＥＴのＢ０，Ｂ１をそれぞれ「１」、「１」に設定する。
【００３８】
信号処理回路２２では、アンテナ状態検出回路４１から供給された検出信号ＤＥＴの２つのビットＢ０，Ｂ１を参照することにより、アクティブアンテナ１０の接続状態を判断することができる。例えば、検出信号ＤＥＴのＢ０，Ｂ１がそれぞれ「１」、「０」である場合には、適正アンテナ電流範囲であって、アンテナが正常に接続されている状態と判断する。また、検出信号ＤＥＴのＢ０，Ｂ１がそれぞれ「０」、「０」である場合には、アンテナ電流過小であって、アンテナ・オープン状態であると判断する。また、検出信号ＤＥＴのＢ０，Ｂ１がそれぞれ「１」、「１」である場合には、アンテナ電流過大であって、アンテナ・ショート状態であると判断する。なお、信号処理回路２２による判断結果は、図示せぬヒューマンインタフェースとしての表示部に表示することにより、ユーザはアクティブアンテナ１０の接続状態を知ることができる。また、アクティブアンテナ１０の接続状態が正常でない場合には、信号処理回路２２は、電源回路２４またはアンテナ給電回路２３の動作を停止することにより、電源回路２４およびアンテナ給電回路２３が損傷することを防止できる。
【００３９】
そして、信号処理回路２２は、アクティブアンテナ１０の接続状態が正常であると判断した場合には、アンテナエレメント１１によって捕捉されてローノイズアンプ１２によって増幅され、同軸ケーブル３０およびアンテナ状態検出回路４１を介して供給されたＲＦ信号に対して所定の信号処理を施す。これにより、ＲＦ信号に含まれている情報を取得することができる。
【００４０】
ところで、本実施の形態では、図４，５に示す従来例と比較すると、ローノイズアンプ１２に与える影響を少なくしつつ、アンテナ電流Ｉを正確に検出することができる。すなわち、アンテナ給電回路２３からローノイズアンプ１２に流れる電流はトランジスタ６０を経由する。しかしながら、トランジスタ６０はベース端子とコレクタ端子が接続されてダイオード接続状態となっている。このため、トランジスタ６０のエミッタ端子とコレクタ端子間の電圧降下は、アンテナ電流Ｉの値に拘わらず、０．６〜０．７Ｖの範囲となる。このため、アンテナ電流Ｉの正常な範囲が２０ｍＡ〜５０ｍＡの範囲にばらついている場合であっても、トランジスタ６０のエミッタ端子とコレクタ端子間の電圧降下はほぼ一定（０．６Ｖ〜０．７Ｖ）であることから、アンテナ電流Ｉの値によってローノイズアンプ１２に供給される電源電圧が変動することがない。
【００４１】
また、トランジスタ６０に流れるアンテナ電流Ｉの値は、トランジスタ６１のコレクタ端子から流出する電流Ｉｄが抵抗６２に生じる電圧ＶＤｄによって検出されるが、アンテナ電流Ｉの値は、抵抗６２の値とは無関係である。このことから、所望の抵抗値を有する抵抗６２を用いることができるため、検出精度を向上させることができる。より詳細には、例えば、抵抗６２として抵抗値が５０Ωのものを用いる場合、アンテナ電流Ｉが前述のように２０ｍＡ〜５０ｍＡの範囲であるとすると、基準電圧ＶＬｄ，ＶＨｄは、それぞれ１．０Ｖ（＝２０ｍＡ×５０Ω）および２．５Ｖ（＝５０ｍＡ×５０Ω）となる。したがって、正常範囲であると判断する電圧範囲は１．５Ｖ（＝２．５Ｖ−１．０Ｖ）となるため、ノイズ等の影響を受けることなく、アンテナ接続状態を正確に判断することができる。
【００４２】
さらに、抵抗６２として抵抗値が７５Ωのものを用いる場合、アンテナ電流Ｉが前述のように２０ｍＡ〜５０ｍＡの範囲であるとすると、基準電圧ＶＬｄ，ＶＨｄは、それぞれ１．５Ｖ（＝２０ｍＡ×７５Ω）および３．７５Ｖ（＝５０ｍＡ×７５Ω）となる。したがって、正常範囲であると判断する電圧範囲は２．２５Ｖ（＝３．７５Ｖ−１．５Ｖ）となるため、ノイズ等の影響を受けることなく、アンテナ接続状態をより正確に判断することができる。
【００４３】
以上に説明したように、本発明の実施の形態では、アクティブアンテナ１０に対してカレントミラー回路を構成するトランジスタ６０，６１の一方のトランジスタ６０を介してアンテナ電流を供給し、アクティブアンテナ１０に流れる電流をトランジスタ６１に流れる電流に基づいて検出し、この電流に基づいてアクティブアンテナ１０の接続状態を判断するようにした。このため、トランジスタ６０における電圧降下がアンテナ電流Ｉの値によらず一定であることから、アンテナ電流Ｉのばらつきによらず、ローノイズアンプ１２に供給する電源電圧を一定に保つことができる。
【００４４】
また、本実施の形態では、トランジスタ６１のコレクタ電流が抵抗６２に流入することにより生じる電圧に基づいてアンテナ電流Ｉを検出するようにした。トランジスタ６０のコレクタ電流は抵抗６２の値とは無関係であることから、所望の値の抵抗６２を用いることにより、電圧範囲を広く設定し、結果としてノイズの影響を抑えることができる。
【００４５】
（Ｃ）変形実施の態様
なお、上述した実施の形態は、あくまでも本発明の一態様を示すものであり、本発明の範囲内で任意に変形および応用が可能であることは勿論である。
例えば、以上の実施の形態では、抵抗６２に生じる電圧ＶＤｄをコンパレータ５７によって基準電圧ＶＨｄ，ＶＬｄと比較することにより、２ビットの検出信号ＤＥＴに変換するようにしたが、例えば、図３に示すように、Ａ／Ｄ（Analog to Digital）変換回路７０（請求項中「判定回路」に対応）を用いて２ビットの検出信号ＤＥＴに変換するようにしてもよい。図３に示すアンテナ状態検出回路４１Ａでは、図２の場合と比較して、コンパレータ５７がＡ／Ｄ変換回路７０に置換され、また、抵抗５４〜５６が除外されている。また、Ａ／Ｄ変換回路７０の入力端子は抵抗６２の一方の端子に接続される。出力端子は信号処理回路２２に接続され、Ｂ０ｄ，Ｂ１ｄからなる２ビットの検出信号ＤＥＴが信号処理回路２２に供給される。また、Ａ／Ｄ変換回路７０の電源端子にはアンテナ給電回路２３からの電源が供給される。この図に示す実施の形態の動作は、Ａ／Ｄ変換回路７０以外の動作は、図２の場合と同様である。
【００４６】
図３の例では、Ａ／Ｄ変換回路７０は、抵抗６２の一方の端子に現れる電圧ＶＤｄを内蔵されている基準電圧と比較することにより、Ｂ０ｄ，Ｂ１ｄからなる２ビットの信号に変換する。２ビットのＡ／Ｄ変換回路７０は、３つの基準電圧ＶＬｅ，ＶＭｅ，ＶＨｅを有し、入力端子から入力された電圧ＶＤｄとこれらの基準電圧を比較し、（０，０）、（０，１）、（１，０）、（１，１）のいずれかを出力信号として出力する。そこで、ＶＨｅをＶＨｄに対応させ、ＶＬｅをＶＬｄに対応させ、出力（０，１）および（１，０）を正常状態とし、（０，０）をアンテナ・ショート状態、および、（１，１）をアンテナ・オープン状態とすることができる。このように、Ａ／Ｄ変換回路７０を用いることによっても、前述の場合と同様に検出信号ＤＥＴを得ることができる。なお、説明の簡略化のために、ここではＡ／Ｄ変換回路７０は２ビットとしたが、もちろん３ビット以上とすることも可能である。
【００４７】
また、以上の実施の形態では、カレントミラー回路としては、ＰＮＰ型バイポーラトランジスタを用いるようにしたが、ＮＰＮ型バイポーラトランジスタを用いたり、ＦＥＴ（Field Effect Transistor）を用いたりすることもできる。例えば、ＦＥＴとしてＭＯＳ（Metal-Oxide Semiconductor）を用いた場合には、出力端子としてのソース・ドレイン間の電圧を、前述した０．６Ｖ〜０．７Ｖよりも低くすることができるので、ローノイズアンプ１２に供給する電源電圧のマージンをさらに高く保つことができる。
【００４８】
また、以上の実施の形態では、電源電圧とＲＦ信号が同一の同軸ケーブル３０を経由して伝送されるようにしたが、これらを異なるケーブルによって伝送するようにしてもよい。
【図面の簡単な説明】
【００４９】
【図１】本発明の実施の形態の構成例を示すブロック図である。
【図２】図１に示すアンテナ状態検出回路の構成例である。
【図３】図１に示すアンテナ状態検出回路の他の構成例である。
【図４】従来の受信装置の構成を示す図である。
【図５】図４に示すアンテナ状態回路の構成例である。
【図６】図１および図５に示すコンパレータの動作を説明する図である。
【符号の説明】
【００５０】
１０  アクティブアンテナ
２０  受信装置
２３  アンテナ給電回路（給電回路）
５４〜５６  抵抗（判定回路）
５７  コンパレータ（判定回路）
６０  トランジスタ（参照側トランジスタ）
６１  トランジスタ（出力側トランジスタ）
６２  抵抗（検出回路）
７０  Ａ／Ｄ変換回路（判定回路）
【図１】
2009118077.tif 000003
【図２】
2009118077.tif 000004
【図３】
2009118077.tif 000005
【図４】
2009118077.tif 000006
【図５】
2009118077.tif 000007
【図６】
2009118077.tif 000008